(57)【要約】【課題】適切な送信元情報を用いたＦＡＸ送信動作を指示可能なプログラムを提供する。【解決手段】プログラムは、ＦＡＸ送信動作を実行可能なＦＡＸ装置に認証情報を送信する第１送信処理（Ｓ４３）と、認証情報の応答として第１送信元情報を受信したことに応じて（Ｓ４４：Ｙｅｓ）、第１送信元情報を用いたＦＡＸ送信動作の実行を指示する第１ＦＡＸ指示情報を、ＦＡＸ装置に送信する第１ＦＡＸ指示処理（Ｓ４５）と、認証情報の応答として第１送信元情報を受信していないことに応じて（Ｓ４４：Ｎｏ）、第１送信元情報を用いないＦＡＸ送信動作の実行を指示する第２ＦＡＸ指示情報を、ＦＡＸ装置に送信する第２ＦＡＸ指示処理（Ｓ４６）とを携帯端末に実行させる。【選択図】図５
2017118228.tif 000002
【特許請求の範囲】
【請求項１】
通信インタフェースを備える携帯端末によって読み取り可能なプログラムであって、
該プログラムは、ＦＡＸ送信動作を実行可能なＦＡＸ装置に、前記通信インタフェースを通じて認証情報を送信する第１送信処理を前記携帯端末に実行させ、前記認証情報は、第１送信元情報を用いた前記ＦＡＸ送信動作を指示する権限を有することを示すための情報であり、前記第１送信元情報は、前記ＦＡＸ送信動作で送信される画像データの送信元を示すために、前記ＦＡＸ装置に登録された情報であり、
該プログラムは、前記認証情報の応答として前記ＦＡＸ装置によって送信された前記第１送信元情報を、前記通信インタフェースを通じて受信する第１受信処理を前記携帯端末に実行させることが可能であり、
該プログラムは、前記第１受信処理で前記第１送信元情報を受信したことに応じて、前記通信インタフェースを通じて前記ＦＡＸ装置に第１ＦＡＸ指示情報を送信する第１ＦＡＸ指示処理を前記携帯端末に実行させ、前記第１ＦＡＸ指示情報は、前記第１受信処理で受信した前記第１送信元情報を用いた前記ＦＡＸ送信動作の実行を指示するための情報であり、
該プログラムは、前記第１受信処理で前記第１送信元情報を受信していないことに応じて、前記通信インタフェースを通じて前記ＦＡＸ装置に第２ＦＡＸ指示情報を送信する第２ＦＡＸ指示処理を前記携帯端末に実行させ、前記第２ＦＡＸ指示情報は、前記第１送信元情報を用いない前記ＦＡＸ送信動作の実行を指示するための情報であるプログラム。
【請求項２】
入力インタフェースと、通信インタフェースとを備える携帯端末によって読み取り可能なプログラムであって、
該プログラムは、第１指示操作及び第２指示操作の一方を前記入力インタフェースを通じて受け付ける受付処理を前記携帯端末に実行させ、前記第１指示操作は、第１送信元情報を用いたＦＡＸ送信動作の実行指示に対応し、前記第２指示操作は、前記第１送信元情報を用いない前記ＦＡＸ送信動作の実行指示に対応し、前記第１送信元情報は、前記ＦＡＸ送信動作で送信される画像データの送信元を示すために、前記ＦＡＸ装置に登録された情報であり、
該プログラムは、
前記受付処理で前記第１指示操作を受け付けたことに応じて、前記通信インタフェースを通じて前記ＦＡＸ装置から前記第１送信元情報を受信する第１受信処理と、
前記通信インタフェースを通じて前記ＦＡＸ装置に第１ＦＡＸ指示情報を送信する第１ＦＡＸ指示処理とを前記携帯端末に実行させ、前記第１ＦＡＸ指示情報は、前記第１受信処理で受信した前記第１送信元情報を用いた前記ＦＡＸ送信動作の実行を指示するための情報であり、
該プログラムは、前記受付処理で前記第２指示操作を受け付けたことに応じて、前記通信インタフェースを通じて前記ＦＡＸ装置に第２ＦＡＸ指示情報を送信する第２ＦＡＸ指示処理を前記携帯端末に実行させ、前記第２ＦＡＸ指示情報は、前記第１送信元情報を用いない前記ＦＡＸ送信動作の実行を指示するための情報であるプログラム。
【請求項３】
該プログラムは、前記受付処理で前記第１指示操作を受け付けたことに応じて、前記通信インタフェースを通じて前記ＦＡＸ装置に認証情報を送信する第１送信処理を前記携帯端末に実行させ、前記認証情報は、前記第１送信元情報を用いた前記ＦＡＸ送信動作を指示する権限を有することを示すための情報であり、
該プログラムは、前記第１受信処理において、前記認証情報の応答として前記ＦＡＸ装置によって送信された前記第１送信元情報を、前記通信インタフェースを通じて受信することが可能であり、
該プログラムは、
前記第１受信処理で前記第１送信元情報を受信したことに応じて、前記第１ＦＡＸ指示処理を前記携帯端末に実行させ、
前記第１受信処理で前記第１送信元情報を受信していないことに応じて、前記第２ＦＡＸ指示処理を前記携帯端末に実行させる請求項２に記載のプログラム。
【請求項４】
前記携帯端末は、メモリを備えており、
前記第１指示操作は、原稿に記録された画像を読み取って前記画像データを生成する読取動作と、前記読取動作で生成した前記画像データに対する前記ＦＡＸ送信動作とを実行させる指示に対応し、
前記第２指示操作は、前記メモリに記憶された前記画像データに対する前記ＦＡＸ送信動作を実行させる指示に対応し、
該プログラムは、
前記第１ＦＡＸ指示処理において、前記画像データを含まない前記第１ＦＡＸ指示情報を、前記通信インタフェースを通じて前記ＦＡＸ装置に送信し、
前記第２ＦＡＸ指示処理において、前記メモリに記憶された前記画像データのうち、前記入力インタフェースを通じて指定された前記画像データを含む前記第２ＦＡＸ指示情報を、前記通信インタフェースを通じて前記ＦＡＸ装置に送信する請求項２又は３に記載のプログラム。
【請求項５】
該プログラムは、前記通信インタフェースを通じて前記ＦＡＸ装置に問合せ情報を送信する第２送信処理を前記携帯端末に実行させ、前記問合せ情報は、前記ＦＡＸ送信動作に用いる送信元情報を切替可能か否かを問い合わせるための情報であり、
該プログラムは、前記問合せ情報の応答として前記ＦＡＸ装置によって送信された切替可能情報を、前記通信インタフェースを通じて受信する第２受信処理を前記携帯端末に実行させることが可能であり、前記切替可能情報は、前記ＦＡＸ送信動作に用いる前記送信元情報が切替可能であることを示すための情報であり、
該プログラムは、
前記第２受信処理で前記切替可能情報を受信したことに応じて、前記第１指示操作及び前記第２指示操作の両方を前記受付処理で受け付け可能にし、
前記第２受信処理で前記切替可能情報を受信しないことに応じて、前記第１指示操作及び前記第２指示操作のうちの前記第２指示操作のみを前記受付処理で受け付け可能にする請求項２又は３に記載のプログラム。
【請求項６】
前記携帯端末は、メモリを備えており、
前記通信インタフェースは、
外部装置と無線通信する第１通信インタフェースと、
前記第１通信インタフェースより無線通信の範囲が狭い第２通信インタフェースとを含み、
該プログラムは、
前記第２通信インタフェースを通じて前記ＦＡＸ装置から前記認証情報を受信する認証情報受信処理と、
前記認証情報受信処理で受信した前記認証情報を前記メモリに記憶させる記憶処理とを前記携帯端末に実行させ、
前記第１送信処理において、前記メモリに記憶された前記認証情報を、前記通信インタフェースを通じて前記ＦＡＸ装置に送信し、
前記第１ＦＡＸ指示処理及び前記第２ＦＡＸ指示処理において、前記第１ＦＡＸ指示情報及び前記第２ＦＡＸ指示情報を、前記第１通信インタフェースを通じて前記ＦＡＸ装置に送信する請求項１又は３に記載のプログラム。
【請求項７】
前記第１通信インタフェースは、
中継装置を経由して前記ＦＡＸ装置と無線通信する間接無線通信と、
前記中継装置を経由せずに前記ＦＡＸ装置と無線通信する直接無線通信とが可能であり、
該プログラムは、
前記ＦＡＸ装置と前記直接無線通信するのに必要な接続情報を、前記認証情報の送信元の前記ＦＡＸ装置から前記第２通信インタフェースを通じて受信する接続情報受信処理を前記携帯端末に実行させ、
前記第１ＦＡＸ指示処理において、前記接続情報受信処理で受信した前記接続情報を用いた前記直接無線通信によって、前記第１ＦＡＸ指示情報を前記ＦＡＸ装置に送信する請求項６に記載のプログラム。
【請求項８】
前記携帯端末は、メモリを備えており、
該プログラムは、前記第２ＦＡＸ指示処理において、第２送信元情報を含み且つ前記第２送信元情報を用いた前記ＦＡＸ送信動作の実行を指示するための前記第２ＦＡＸ指示情報を前記通信インタフェースを通じて前記ＦＡＸ装置に送信し、前記第２送信元情報は、前記ＦＡＸ送信動作で送信される前記画像データの送信元を示すために、前記メモリに記憶された情報である請求項１から７のいずれかに記載のプログラム。
【請求項９】
前記第１ＦＡＸ指示情報は、前記第１送信元情報を示す画像を前記画像データに含めて第１合成画像データを生成させ、且つ前記第１合成画像データに対する前記ＦＡＸ送信動作を実行させるための情報であり、
前記第２ＦＡＸ指示情報は、前記第２送信元情報を示す画像を前記画像データに含めた第２合成画像データを含み、且つ前記第２合成画像データに対する前記ＦＡＸ送信動作を実行させるための情報であり、
該プログラムは、前記第２合成画像データを生成する生成処理を、前記第２ＦＡＸ指示処理に先立って前記携帯端末に実行させる請求項８に記載のプログラム。
【請求項１０】
前記第１ＦＡＸ指示情報は、前記第１送信元情報を示す画像を前記画像データに含めた第１合成画像データを含み、且つ前記第１合成画像データに対する前記ＦＡＸ送信動作を実行させるための情報であり、
前記第２ＦＡＸ指示情報は、前記第２送信元情報を示す画像を前記画像データに含めた第２合成画像データを含み、且つ前記第２合成画像データに対する前記ＦＡＸ送信動作を実行させるための情報であり、
該プログラムは、
前記第１合成画像データを生成する第１生成処理を、前記第１ＦＡＸ指示処理に先立って前記携帯端末に実行させ、
前記第２合成画像データを生成する第２生成処理を、前記第２ＦＡＸ指示処理に先立って前記携帯端末に実行させる請求項８に記載のプログラム。
【請求項１１】
メモリと、通信インタフェースと、ＦＡＸ送信動作を実行するＦＡＸ部と、制御部とを備えるＦＡＸ装置であって、
前記メモリは、
前記ＦＡＸ送信動作で送信される画像データの送信元を示す第１送信元情報と、
前記第１送信元情報を用いた前記ＦＡＸ送信動作を指示する権限を有することを示すための登録認証情報とを記憶しており、
前記制御部は、
前記通信インタフェースを通じて携帯端末から受信認証情報を受信する第１受信処理と、
前記登録認証情報と前記受信認証情報とが一致するか否かを判断する判断処理と、
前記判断処理で一致と判断したことに応じて、前記メモリに記憶されている前記第１送信元情報を、前記通信インタフェースを通じて前記携帯端末に送信する送信処理と、
前記送信処理で前記第１送信元情報を送信した前記携帯端末から、前記通信インタフェースを通じて第１ＦＡＸ指示情報を受信する第２受信処理とを実行し、前記第１ＦＡＸ指示情報は、前記第１送信元情報を用いた前記ＦＡＸ送信動作の実行を指示するための情報であり、
前記制御部は、前記第２受信処理で受信した前記第１ＦＡＸ指示情報に従って、前記ＦＡＸ部に前記ＦＡＸ送信動作を実行させるＦＡＸ処理を実行するＦＡＸ装置。
【請求項１２】
メモリと、通信インタフェースと、入力インタフェースと、ＦＡＸ送信動作を実行するＦＡＸ部と、制御部とを備えるＦＡＸ装置であって、
前記メモリは、前記ＦＡＸ送信動作で送信される画像データの送信元を示す第１送信元情報を記憶しており、
前記制御部は、
前記ＦＡＸ送信動作を指示する指示操作を前記入力インタフェースを通じて受け付ける受付処理と、
前記受付処理で前記指示操作を受け付けたことに応じて、前記メモリに記憶された前記第１送信元情報を用いた前記ＦＡＸ送信動作を、前記ＦＡＸ部に実行させる第１ＦＡＸ処理とを実行し、
前記制御部は、
前記ＦＡＸ送信動作の実行を指示するＦＡＸ指示情報を、前記通信インタフェースを通じて携帯端末から受信する受信処理と、
前記受信処理で前記ＦＡＸ指示情報を受信したことに応じて、前記ＦＡＸ指示情報に含まれる第２送信元情報を用いた前記ＦＡＸ送信動作を、前記ＦＡＸ部に実行させる第２ＦＡＸ処理とを実行し、前記第２送信元情報は、前記ＦＡＸ送信動作で送信される前記画像データの送信元を示すために、前記携帯端末に登録された情報であるＦＡＸ装置。
【発明の詳細な説明】
【技術分野】
【０００１】
本発明は、ＦＡＸ装置にＦＡＸ送信動作を実行させる携帯端末のプログラムに関する。
【背景技術】
【０００２】
特許文献１には、ファクシミリデータ及びステーションＩＤを、ＦＡＸプロトコルに従ってＦＡＸ送信するＦＡＸ装置が開示されている。ステーションＩＤは、ファクシミリデータの送信元（例えば、会社名、部署名等）を示すために、送信側のＦＡＸ装置に登録されている文字列である。また、ステーションＩＤは、ＴＳＩコマンドに含めて受信側のＦＡＸ装置に送信されると共に、ファクシミリデータで示される画像のヘッダ部に含められる。これにより、受信側のＦＡＸ装置は、ファクシミリデータの送信元を、ステーションＩＤによって識別することができる。
【先行技術文献】
【特許文献】
【０００３】
【特許文献１】特開２００９−１５３２０９号公報
【発明の概要】
【発明が解決しようとする課題】
【０００４】
近年、携帯端末にインストールされるアプリケーションであって、携帯端末からＦＡＸ装置にＦＡＸ送信動作を指示することができるアプリケーションが開発されている。しかしながら、特許文献１には、携帯端末がＦＡＸ装置にＦＡＸ送信動作を指示する場合に、ステーションＩＤをどのように取り扱うべきかが記載されていない。そして、ステーションＩＤの取り扱いを考慮せずに、ＦＡＸ装置へのＦＡＸ送信動作の指示を携帯端末に行わせると、様々なデメリットを生じる可能性がある。
【０００５】
本発明は、上記の事情に鑑みてなされたものであり、その目的は、ＦＡＸ装置にＦＡＸ送信動作を指示する携帯端末にインストールされるプログラムであって、適切な送信元情報を用いたＦＡＸ送信動作を指示することが可能なプログラムを提供することにある。
【課題を解決するための手段】
【０００６】
本明細書の一形態に係るプログラムは、通信インタフェースを備える携帯端末によって読み取り可能である。該プログラムは、ＦＡＸ送信動作を実行可能なＦＡＸ装置に、前記通信インタフェースを通じて認証情報を送信する第１送信処理を前記携帯端末に実行させる。前記認証情報は、第１送信元情報を用いた前記ＦＡＸ送信動作を指示する権限を有することを示すための情報である。前記第１送信元情報は、前記ＦＡＸ送信動作で送信される画像データの送信元を示すために、前記ＦＡＸ装置に登録された情報である。該プログラムは、前記認証情報の応答として前記ＦＡＸ装置によって送信された前記第１送信元情報を、前記通信インタフェースを通じて受信する第１受信処理を前記携帯端末に実行させることが可能である。該プログラムは、前記第１受信処理で前記第１送信元情報を受信したことに応じて、前記通信インタフェースを通じて前記ＦＡＸ装置に第１ＦＡＸ指示情報を送信する第１ＦＡＸ指示処理を前記携帯端末に実行させる。前記第１ＦＡＸ指示情報は、前記第１受信処理で受信した前記第１送信元情報を用いた前記ＦＡＸ送信動作の実行を指示するための情報である。該プログラムは、前記第１受信処理で前記第１送信元情報を受信していないことに応じて、前記通信インタフェースを通じて前記ＦＡＸ装置に第２ＦＡＸ指示情報を送信する第２ＦＡＸ指示処理を前記携帯端末に実行させる。前記第２ＦＡＸ指示情報は、前記第１送信元情報を用いない前記ＦＡＸ送信動作の実行を指示するための情報である。
【０００７】
上記構成によれば、認証情報の応答として第１送信元情報を取得した携帯端末のみが、換言すればＦＡＸ装置によって認証された携帯端末のみが、第１送信元情報を用いたＦＡＸ送信動作の実行をＦＡＸ装置に指示することができる。その結果、例えば、第１送信元情報で示される送信元に所属していない携帯端末のユーザによって、第１送信元情報を用いたＦＡＸ送信動作が指示されるというデメリットを抑制できる。すなわち、当該プログラムによれば、適切な送信元情報を用いたＦＡＸ送信動作を指示することができる。
【０００８】
本明細書の他の形態に係るプログラムは、入力インタフェースと、通信インタフェースとを備える携帯端末によって読み取り可能である。該プログラムは、第１指示操作及び第２指示操作の一方を前記入力インタフェースを通じて受け付ける受付処理を前記携帯端末に実行させる。前記第１指示操作は、第１送信元情報を用いたＦＡＸ送信動作の実行指示に対応する。前記第２指示操作は、前記第１送信元情報を用いない前記ＦＡＸ送信動作の実行指示に対応する。前記第１送信元情報は、前記ＦＡＸ送信動作で送信される画像データの送信元を示すために、前記ＦＡＸ装置に登録された情報である。該プログラムは、前記受付処理で前記第１指示操作を受け付けたことに応じて、前記通信インタフェースを通じて前記ＦＡＸ装置から前記第１送信元情報を受信する第１受信処理と、前記通信インタフェースを通じて前記ＦＡＸ装置に第１ＦＡＸ指示情報を送信する第１ＦＡＸ指示処理とを前記携帯端末に実行させる。前記第１ＦＡＸ指示情報は、前記第１受信処理で受信した前記第１送信元情報を用いた前記ＦＡＸ送信動作の実行を指示するための情報である。該プログラムは、前記受付処理で前記第２指示操作を受け付けたことに応じて、前記通信インタフェースを通じて前記ＦＡＸ装置に第２ＦＡＸ指示情報を送信する第２ＦＡＸ指示処理を前記携帯端末に実行させる。前記第２ＦＡＸ指示情報は、前記第１送信元情報を用いない前記ＦＡＸ送信動作の実行を指示するための情報である。
【０００９】
上記構成によれば、ＦＡＸ送信動作に第１送信元情報を用いるか否かを、ユーザに選択させることができる。その結果、例えば、携帯端末のユーザが普段使用しているＦＡＸ装置とは別のＦＡＸ装置にＦＡＸ送信動作を実行させる場合に、当該ユーザの所属と異なる送信元を示す送信元情報が使用されるというデメリットを抑制できる。すなわち、当該プログラムによれば、適切な送信元情報を用いたＦＡＸ送信動作を指示することができる。
【００１０】
本明細書の一形態に係るＦＡＸ装置は、メモリと、通信インタフェースと、ＦＡＸ送信動作を実行するＦＡＸ部と、制御部とを備える。前記メモリは、前記ＦＡＸ送信動作で送信される画像データの送信元を示す第１送信元情報と、前記第１送信元情報を用いた前記ＦＡＸ送信動作を指示する権限を有することを示すための登録認証情報とを記憶している。前記制御部は、前記通信インタフェースを通じて携帯端末から受信認証情報を受信する第１受信処理と、前記登録認証情報と前記受信認証情報とが一致するか否かを判断する判断処理と、前記判断処理で一致と判断したことに応じて、前記メモリに記憶されている前記第１送信元情報を、前記通信インタフェースを通じて前記携帯端末に送信する送信処理と、前記送信処理で前記第１送信元情報を送信した前記携帯端末から、前記通信インタフェースを通じて第１ＦＡＸ指示情報を受信する第２受信処理とを実行する。前記第１ＦＡＸ指示情報は、前記第１送信元情報を用いた前記ＦＡＸ送信動作の実行を指示するための情報である。前記制御部は、前記第２受信処理で受信した前記第１ＦＡＸ指示情報に従って、前記ＦＡＸ部に前記ＦＡＸ送信動作を実行させるＦＡＸ処理を実行する。
【００１１】
本明細書の他の形態に係るＦＡＸ装置は、メモリと、通信インタフェースと、入力インタフェースと、ＦＡＸ送信動作を実行するＦＡＸ部と、制御部とを備える。前記メモリは、前記ＦＡＸ送信動作で送信される画像データの送信元を示す第１送信元情報を記憶している。前記制御部は、前記ＦＡＸ送信動作を指示する指示操作を前記入力インタフェースを通じて受け付ける受付処理と、前記受付処理で前記指示操作を受け付けたことに応じて、前記メモリに記憶された前記第１送信元情報を用いた前記ＦＡＸ送信動作を、前記ＦＡＸ部に実行させる第１ＦＡＸ処理とを実行する。前記制御部は、前記ＦＡＸ送信動作の実行を指示するＦＡＸ指示情報を、前記通信インタフェースを通じて携帯端末から受信する受信処理と、前記受信処理で前記ＦＡＸ指示情報を受信したことに応じて、前記ＦＡＸ指示情報に含まれる第２送信元情報を用いた前記ＦＡＸ送信動作を、前記ＦＡＸ部に実行させる第２ＦＡＸ処理とを実行する。前記第２送信元情報は、前記ＦＡＸ送信動作で送信される前記画像データの送信元を示すために、前記携帯端末に登録された情報である。
【図面の簡単な説明】
【００１２】
【図１】図１は、実施形態に係るシステム１００を構成する複合機１０及び携帯端末５０のブロック図である。
【図２】図２は、データ記憶領域３２Ｂ、６２Ｂに記憶される情報の例であって、（Ａ）は第１送信元情報を、（Ｂ）は端末情報リストを、（Ｃ）は第２送信元情報を、（Ｄ）は装置情報リストを示す。
【図３】図３は、登録処理のフローチャートである。
【図４】図４は、ＦＡＸ指示処理のフローチャートである。
【図５】図５は、ＦＡＸ指示送信処理のフローチャートである。
【図６】図６は、応答処理のフローチャートである。
【図７】図７は、ＦＡＸ処理のフローチャートである。
【図８】図８は、ディスプレイ５３の表示例であって、（Ａ）は取得元選択画面を、（Ｂ）はデータ選択画面を示す。
【図９】図９は、ディスプレイ５３の表示例であって、（Ａ）はチェックボックス１３２がチェック可能なプレビュー画面を、（Ｂ）はチェックボックス１３２がチェック不能なプレビュー画面を示す。
【発明を実施するための形態】
【００１３】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。例えば、後述する各処理の実行順序は、本発明の要旨を変更しない範囲で、適宜変更することができる。
【００１４】
図１は、本実施形態に係るシステム１００の概略図である。図１に示されるシステム１００は、複合機１０と、携帯端末５０とで構成されている。複合機１０及び携帯端末５０は、相互に通信可能に構成されている。複合機１０及び携帯端末５０の通信方法は、所謂直接無線通信であってもよいし、通信ネットワーク１０１を通じた間接通信であってもよい。通信ネットワーク１０１は、例えば、有線ＬＡＮ（Ｌｏｃａｌ  Ａｒｅａ  Ｎｅｔｗｏｒｋの略）、無線ＬＡＮ、或いはこれらの組み合わせであってもよい。
【００１５】
［複合機１０］
複合機１０は、図１に示されるように、プリンタ１１と、スキャナ１２と、ＦＡＸ部１３と、ディスプレイ２３と、入力Ｉ／Ｆ（ＩｎｔｅｒＦａｃｅの略）２４と、ＮＦＣ（Ｎｅａｒ  Ｆｉｅｌｄ  Ｃｏｍｍｕｎｉｃａｔｉｏｎの略）通信Ｉ／Ｆ２５と、Ｗｉ−Ｆｉ（Ｗｉ−Ｆｉ  Ａｌｌｉａｎｃｅの登録商標）通信Ｉ／Ｆ２６と、ＣＰＵ（Ｃｅｎｔｒａｌ  Ｐｒｏｃｅｓｓｉｎｇ  Ｕｎｉｔの略）３１と、メモリ３２と、通信バス３３とを主に備える。複合機１０を構成する各構成要素は、通信バス３３を通じて相互に接続されている。複合機１０は、ＦＡＸ装置の一例である。
【００１６】
［プリンタ１１、スキャナ１２］
プリンタ１１は、画像データで示される画像を記録用紙に記録する記録動作を実行する。記録用紙は、シート或いは被記録媒体の一例である。プリンタ１１の記録方式として、インクジェット方式や電子写真方式などの公知の方式を採用することができる。スキャナ１２は、原稿に記録されている画像を読み取って画像データを生成する読取動作を実行する。なお、プリンタ１１及びスキャナ１２は、省略可能である。
【００１７】
［ＦＡＸ部１３］
ＦＡＸ部１３は、ＦＡＸプロトコルに準拠した方式で画像データを送受信するＦＡＸ送信動作及びＦＡＸ受信動作を実行する。ＦＡＸ部１３は、後述するように、送信元情報を用いてＦＡＸ送信動作を実行することができる。また、ＦＡＸ部１３は、入力Ｉ／Ｆ２４を通じたユーザの指示に応じて、ＦＡＸ送信動作に用いる送信元情報が切替可能な切替可能状態と、ＦＡＸ送信動作に用いる送信元情報が切替不可能な切替不能状態とに、状態遷移することができてもよい。すなわち、切替可能状態のＦＡＸ部１３は、外部から指定された送信元情報を用いて、ＦＡＸ送信動作を実行することができる。一方、切替不能状態のＦＡＸ部１３は、データ記憶領域３２Ｂに記憶された第１送信元情報を用いたＦＡＸ送信動作のみを実行することができる。
【００１８】
［ディスプレイ２３］
ディスプレイ２３は、各種情報を表示する表示画面を備える。ディスプレイ２３としては、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００１９】
［入力Ｉ／Ｆ２４］
入力Ｉ／Ｆ２４は、ユーザによる入力操作を受け付けるユーザインタフェースである。具体的には、入力Ｉ／Ｆ２４はボタンを有しており、押下されたボタンに対応づけられた各種の操作信号をＣＰＵ３１へ出力する。さらに、入力Ｉ／Ｆ２４は、ディスプレイ２３の表示画面に重畳された膜状のタッチセンサを有していてもよい。すなわち、ディスプレイ２３がタッチパネルディスプレイとして構成されてもよい。ディスプレイ２３の表示画面に表示されたオブジェクトを指定する操作、文字列或いは数字列を入力する操作は、入力操作の一例である。
【００２０】
なお、「オブジェクト」とは、ユーザが入力Ｉ／Ｆ２４を操作することによって指定可能な画像を指す。一例として、オブジェクトはディスプレイ２３に表示された文字列、アイコン、ボタン、リンク等であってよい。オブジェクトは、入力Ｉ／Ｆ２４の方向キー或いは決定ボタンを押下することによって指定されてもよい。入力Ｉ／Ｆ２４がタッチパネルである場合、ディスプレイ２３に表示されたオブジェクトは、表示位置へのタッチによって指定されてもよい。
【００２１】
タッチパネルとして実現される入力Ｉ／Ｆ２４は、ユーザがタッチした表示画面上の位置を示す位置情報を出力する。なお、本明細書中における「タッチ」とは、入力媒体を表示画面に接触させる操作全般を含む。すなわち、タッチした入力媒体を所定時間内に表示画面から離間させるタップ操作、ロングタッチ操作、タッチした入力媒体を表示画面上でスライドさせるスライド操作、フリック操作、ピンチイン操作、ピンチアウト操作等は、タッチの一例である。
【００２２】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。以下、ディスプレイ５３に表示されたアイコンの位置のタップを、当該アイコンを指定する入力操作の一例として説明する。
【００２３】
［ＮＦＣ通信Ｉ／Ｆ２５］
ＮＦＣ通信Ｉ／Ｆ２５は、外部装置との間で無線信号を送受信することが可能な通信インタフェースである。すなわち、複合機１０は、ＮＦＣ通信Ｉ／Ｆ２５を通じて携帯端末５０に各種情報を出力し、ＮＦＣ通信Ｉ／Ｆ２５を通じて携帯端末５０から各種情報を受信する。なお、ＮＦＣ通信Ｉ／Ｆ２５を通じた無線通信の範囲は、Ｗｉ−Ｆｉ通信Ｉ／Ｆ２６より狭い。また、ＮＦＣ通信Ｉ／Ｆ２５を通じた無線通信（以下、「ＮＦＣ通信」と表記する）の速度は、Ｗｉ−Ｆｉ通信Ｉ／Ｆ２６を通じた通信（以下、「Ｗｉ−Ｆｉ通信」と表記する。）より遅い。
【００２４】
ＮＦＣ通信Ｉ／Ｆ２５は、ＮＦＣ規格に準拠した近接無線方式で無線通信を行うためのインタフェースである。ＮＦＣ通信Ｉ／Ｆ２５を通じた外部装置との無線通信は、直接通信或いは近接無線通信の一例である。ＮＦＣ通信Ｉ／Ｆ２５には、外部装置との間で受け渡すための情報を記憶する記憶部を有するＩＣチップが搭載されている。ＮＦＣ規格は、近接無線通信プロトコルの一例である。また、近接通信プロトコルの他の例として、ＴｒａｎｓｆｅｒＪｅｔ（ＴｒａｎｓｆｅｒＪｅｔ  コンソーシアムの登録商標）等を採用してもよい。
【００２５】
［Ｗｉ−Ｆｉ通信Ｉ／Ｆ２６］
Ｗｉ−Ｆｉ通信Ｉ／Ｆ２６は、外部装置と通信可能なインタフェースである。複合機１０は、Ｗｉ−Ｆｉ通信Ｉ／Ｆ２６を通じて携帯端末５０に各種情報を出力し、Ｗｉ−Ｆｉ通信Ｉ／Ｆ２６を通じて携帯端末５０から各種情報を受信する。Ｗｉ−Ｆｉ通信Ｉ／Ｆ２６は、通信ネットワーク１０１を通じて外部装置と無線通信する間接無線通信が可能である。より詳細には、Ｗｉ−Ｆｉ通信Ｉ／Ｆ２６は、アクセスポイント等の中継装置を経由して、外部装置と無線通信することができる。また、Ｗｉ−Ｆｉ通信Ｉ／Ｆ２６は、中継装置を経由せずに外部装置と無線通信する直接無線通信が可能であってもよい。Ｗｉ−Ｆｉ通信のうち中継装置を経由しない無線通信を、「Ｗｉ−Ｆｉダイレクト通信」と表記する。Ｗｉ−Ｆｉ通信Ｉ／Ｆ２６の具体的な通信手順は特に限定されないが、例えば、間接無線通信にＷｉ−Ｆｉを採用し、直接無線通信にＷｉ−Ｆｉダイレクトを採用することができる。
【００２６】
［ＣＰＵ３１］
ＣＰＵ３１は、複合機１０の全体動作を制御するものである。ＣＰＵ３１は、入力Ｉ／Ｆ２４から出力される各種情報、ＮＦＣ通信Ｉ／Ｆ２５及びＷｉ−Ｆｉ通信Ｉ／Ｆ２６を通じて外部装置から取得した各種情報等に基づいて、後述する各種プログラムをメモリ３２から取得して実行する。ＣＰＵ３１及びメモリ３２は、制御部の一例を構成する。
【００２７】
［メモリ３２］
メモリ３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、装置プログラム３５とが格納される。なお、装置プログラム３５は、単一のプログラムであってもよいし、複数のプログラムの集合体であってもよい。データ記憶領域３２Ｂには、装置プログラム３５の実行に必要なデータ或いは情報が記憶される。
【００２８】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００２９】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２“というテキスト形式の情報として保持され、別のコンピュータでは二進数表記で”１０“というバイナリ形式の情報として保持されてもよい。
【００３０】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００３１】
メモリ３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、複合機１０に着脱されるＵＳＢメモリ等の可搬記憶媒体、ＣＰＵ３１が備えるバッファ等、或いはそれらの組み合わせによって構成される。
【００３２】
なお、メモリ３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００３３】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。後述する携帯端末５０についても同様である。
【００３４】
また、プログラム記憶領域３２Ａに記憶されているプログラムは、事象を判断し、判断結果に応じて動作する。しかしながら、本明細書では、判断することを省略して各プログラムの動作を説明することがある。すなわち、以下の説明において、「プログラムが条件Ａに応じて、処理Ａを実行する」という趣旨の記述は、「プログラムは条件Ａであるか否かを判断する。プログラムは、肯定判断であることに応じて、処理Ａを実行する」ことを指してもよい。後述する携帯端末５０についても同様である。
【００３５】
また、プログラム記憶領域３２Ａに記憶されているプログラムは、データ等を特定し、取得し、抽出し、決定し、或いは選択する。プログラムがデータ等を特定するとは、例えば、複数のデータ等のうちから条件に合致するデータを特定し、当該データ等そのもの或いは当該データ等を識別するための情報を、予め定められた記憶領域に記憶させる処理を指す。データ等を識別するための情報とは、例えば、当該データ等を識別するための識別情報、当該データ等が記憶された配列のインデックス、当該データ等が記憶された記憶領域のポインタ等である。プログラムがデータ等を取得し、抽出し、決定し、或いは選択する処理も同様である。後述する携帯端末５０についても同様である。
【００３６】
ＯＳ３４は、複合機１０を構成するハードウェアであるプリンタ１１、スキャナ１２、ディスプレイ２３、入力Ｉ／Ｆ２４、ＮＦＣ通信Ｉ／Ｆ２５、及びＷｉ−Ｆｉ通信Ｉ／Ｆ２６等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明することがある。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。後述する携帯端末５０についても同様である。
【００３７】
メモリ３２のデータ記憶領域３２Ｂは、図２（Ａ）に示されるように、第１送信元情報を記憶することができる。第１送信元情報は、例えば、入力Ｉ／Ｆ２４を通じてユーザによって入力された文字列である。第１送信元情報は、一般的には、ＦＡＸ部１３によるＦＡＸ送信動作で送信される画像データの送信元を示すために、複合機１０のユーザによって入力される。本実施形態に係る複合機１０には、“ｘｘ株式会社  総務部”の文字列が第１送信元情報として登録されている。
【００３８】
また、データ記憶領域３２Ｂは、図２（Ｂ）に示されるように、登録情報と、登録情報に対応付けられた認証キーとを記憶することができる。以下、図２（Ｂ）に示される情報全体を「端末情報リスト」と表記することがあり、端末情報リストにおいて互いに対応付けられた登録情報及び認証キーのセットを「端末情報レコード」と表記することがある。すなわち、端末情報リストは、複数の端末情報レコードを含むことができる。
【００３９】
登録情報は、携帯端末５０及び携帯端末５０のユーザを識別するための情報である。登録情報は、例えば、携帯端末５０のユーザによって入力Ｉ／Ｆ２４を通じて入力される。本実施形態に係る登録情報は、携帯端末５０の端末プログラム６５にユニークに割り当てられた端末ＩＤである。但し、登録情報の具体例はこれに限定されず、携帯端末５０に設定された電話番号でもよいし、Ｗｉ−Ｆｉ通信Ｉ／Ｆ５６に割り当てられたＭＡＣ（Ｍｅｄｉａ  Ａｃｃｅｓｓ  Ｃｏｎｔｒｏｌの略）アドレスでもよいし、携帯端末５０のユーザの所属を表す文字列（例えば、“ｘｘ株式会社  営業部”等）でもよい。
【００４０】
認証キーは、第１送信元情報を用いたＦＡＸ送信動作を指示する権限を有することを示すための認証情報の一例である。本実施形態に係る認証キーは、複数桁の数字列である。但し、認証キーの具体例は特に限定されず、文字列であってもよいし、バイナリデータであってもよい。また、本実施形態に係る認証キーは、装置プログラム３５によって発行される。但し、認証キーは、例えば、携帯端末５０のユーザによって登録情報と共に入力されてもよい。
【００４１】
さらに図示は省略するが、データ記憶領域３２Ｂは、切替フラグを記憶することができる。切替フラグには、ＦＡＸ部１３が切替可能状態であることを示す第１値“ＯＮ”、或いはＦＡＸ部１３が切替不能状態であることを示す第２値“ＯＦＦ”が設定される。切替フラグの設定値は、複合機１０の出荷時にメーカによって設定されてもよいし、入力Ｉ／Ｆ２４を通じてユーザによって設定されてもよいし、Ｗｉ−Ｆｉ通信Ｉ／Ｆ２６を通じて携帯端末５０等によって設定されてもよい。
【００４２】
［携帯端末５０］
携帯端末５０は、図１に示されるように、ディスプレイ５３と、入力Ｉ／Ｆ５４と、ＮＦＣ通信Ｉ／Ｆ５５と、Ｗｉ−Ｆｉ通信Ｉ／Ｆ５６と、ＣＰＵ６１と、メモリ６２と、通信バス６３とを主に備える。携帯端末５０に含まれるディスプレイ５３、入力Ｉ／Ｆ５４、ＮＦＣ通信Ｉ／Ｆ５５、Ｗｉ−Ｆｉ通信Ｉ／Ｆ５６、ＣＰＵ６１、メモリ６２、及び通信バス６３は、複合機１０に含まれるディスプレイ２３、入力Ｉ／Ｆ２４、ＮＦＣ通信Ｉ／Ｆ２５、Ｗｉ−Ｆｉ通信Ｉ／Ｆ２６、ＣＰＵ３１、メモリ３２、及び通信バス３３と同様の構成であるので、説明は省略する。
【００４３】
携帯端末５０は、例えば、携帯電話、スマートフォン、或いはタブレット端末等である。ＣＰＵ６１及びメモリ６２は、制御部の一例を構成する。Ｗｉ−Ｆｉ通信Ｉ／Ｆ５６は第１通信Ｉ／Ｆの一例であり、ＮＦＣ通信Ｉ／Ｆ５５は第２通信Ｉ／Ｆの一例であり、ＮＦＣ通信Ｉ／Ｆ５５及びＷｉ−Ｆｉ通信Ｉ／Ｆ５６は通信Ｉ／Ｆの一例である。
【００４４】
メモリ６２のプログラム記憶領域６２Ａは、ＯＳ６４と、端末プログラム６５とを記憶している。ＯＳ６４は、例えば、Ａｎｄｒｏｉｄ（Ｇｏｏｇｌｅ  ｉｎｃ．の登録商標）  ＯＳ、ｉＯＳ（Ｃｉｓｃｏ  Ｓｙｓｔｅｍｓ，Ｉｎｃ．の登録商標）、Ｗｉｎｄｏｗｓ  Ｐｈｏｎｅ（Ｍｉｃｒｏｓｏｆｔ  Ｃｏｒｐｏｒａｔｉｏｎの登録商標）  Ｏｐｅｒａｔｉｎｇ  Ｓｙｓｔｅｍ等であってもよい。
【００４５】
メモリ６２のデータ記憶領域６２Ｂは、図２（Ｃ）に示されるように、第２送信元情報を記憶することができる。第２送信元情報は、例えば、入力Ｉ／Ｆ５４を通じてユーザによって入力された文字列である。第２送信元情報は、一般的には、ＦＡＸ部１３によるＦＡＸ送信動作で送信される画像データの送信元を示すために、携帯端末５０のユーザによって入力される。本実施形態に係る携帯端末５０には、“ｘｘ株式会社  営業部”の文字列が第２送信元情報として登録されている。
【００４６】
また、データ記憶領域３２Ｂは、図２（Ｄ）に示されるように、装置ＩＤと、装置ＩＤに対応付けられた認証キーとを記憶することができる。以下、図２（Ｄ）に示される情報全体を「装置情報リスト」と表記することがあり、装置情報リストにおいて互いに対応付けられた装置ＩＤ及び認証キーのセットを「装置情報レコード」と表記することがある。すなわち、装置情報リストは、複数の装置情報レコードを含むことができる。
【００４７】
装置ＩＤは、複合機１０を識別する装置識別情報である。認証キーは、対応する装置ＩＤで識別される複合機１０から取得したものである。すなわち、複合機１０及び携帯端末５０には、同一の認証キーが登録されている。さらに図示は省略するが、データ記憶領域６２Ｂには、データフォルダが設けられていてもよい。データフォルダには、例えば、写真データ、文書データ、プレゼンテーションデータ、表計算データ等が格納されていてもよい。
【００４８】
［システム１００の動作］
図３〜図７を参照して、本実施形態に係るシステム１００の動作を説明する。
【００４９】
まず、本実施形態に係るシステム１００は、登録処理を実行する。登録処理は、第１送信元情報を用いたＦＡＸ送信動作の実行を携帯端末５０を通じて複合機１０に指示できるように、携帯端末５０を複合機１０に登録する処理である。図３を参照して、登録処理の詳細を説明する。
【００５０】
まず、複合機１０の装置プログラム３５は、携帯端末５０の端末ＩＤ“Ｔｅｒｍ−Ａ”を入力する入力操作を、入力Ｉ／Ｆ２４を通じて受け付ける（Ｓ１１）。なお、装置プログラム３５は、例えば、ＮＦＣ通信Ｉ／Ｆ２５或いはＷｉ−Ｆｉ通信Ｉ／Ｆ２６を通じて携帯端末５０から端末ＩＤを受信してもよい。次に、装置プログラム３５は、認証キー“１２３４”を生成する（Ｓ１２）。次に、装置プログラム３５は、ステップＳ１１で入力された端末ＩＤ“Ｔｅｒｍ−Ａ”と、ステップＳ１２で生成した認証キー“１２３４”とを含む端末情報レコードを、端末情報リストに追加する（Ｓ１３）。
【００５１】
次に、装置プログラム３５は、ＮＦＣ通信Ｉ／Ｆ２５を通じてポーリング信号を、所定の時間間隔で繰り返し送出する（Ｓ１４）。次に、装置プログラム３５は、複合機１０及び携帯端末５０がＮＦＣ通信可能な程度に近づけられた、より詳細には、ポーリング信号の応答であるレスポンス信号をＮＦＣ通信Ｉ／Ｆ２５を通じて携帯端末５０から受信したことに応じて、ＮＦＣ規格に準拠した手順で通信リンクを確立する（Ｓ１５）。そして、装置プログラム３５は、複合機１０の装置ＩＤ“ＭＦＰ−Ａ”及びステップＳ１２で生成した認証キー“１２３４”を、通信リンクが確立されたＮＦＣ通信Ｉ／Ｆ２５を通じて携帯端末５０に送信する（Ｓ１６）。
【００５２】
次に、携帯端末５０の端末プログラム６５は、通信リンクが確立されたＮＦＣ通信Ｉ／Ｆ５５を通じて複合機１０から装置ＩＤ“ＭＦＰ−Ａ”及び認証キー“１２３４”を受信する（Ｓ１６）。そして、端末プログラム６５は、ステップＳ１６で受信した装置ＩＤ“ＭＦＰ−Ａ”及び認証キー“１２３４”を含む装置情報レコードを、装置情報リストに追加する（Ｓ１７）。携帯端末５０が実行するステップＳ１６の処理は認証情報受信処理の一例であり、ステップＳ１７の処理は記憶処理の一例である。
【００５３】
次に、本実施形態に係る携帯端末５０は、ＦＡＸ指示処理を実行する。ＦＡＸ指示処理は、ＦＡＸ送信動作の実行を複合機１０に指示する処理である。また、本実施形態に係る複合機１０は、応答処理及びＦＡＸ処理を実行する。以下、図４を参照してＦＡＸ指示処理の詳細を、図６を参照して応答処理の詳細を、図７を参照してＦＡＸ処理の詳細を説明する。
【００５４】
まず、携帯端末５０の端末プログラム６５は、取得元選択画面をディスプレイ５３に表示させる（Ｓ２１）。図８（Ａ）は、取得元選択画面の一例である。図８（Ａ）に示される取得元選択画面は、［ローカル］アイコン１１１と、［スキャン］アイコン１１２とを含む。［ローカル］アイコン１１１は、データ記憶領域６２Ｂに記憶されている画像データ或いはインターネット上の不図示のサーバに記憶されている画像データを、ＦＡＸ部１３にＦＡＸ送信させる指示に対応する。［スキャン］アイコン１１２は、スキャナ１２に読取動作を実行させ、読取動作で生成された画像データをＦＡＸ部１３にＦＡＸ送信させる指示に対応する。そして、端末プログラム６５は、取得元選択画面に対する入力操作を、入力Ｉ／Ｆ５４を通じて受け付ける（Ｓ２２）。
【００５５】
そして、端末プログラム６５は、［ローカル］アイコン１１１の指定を入力Ｉ／Ｆ５４を通じて受け付けたことに応じて（Ｓ２２：［ローカル］アイコン）、データ選択画面をディスプレイ５３に表示させる（Ｓ２３）。［ローカル］アイコン１１１を指定する操作は、第２指示操作の一例である。図８（Ｂ）は、データ選択画面の一例である。図８（Ｂ）に示されるデータ選択画面は、複数のデータアイコン１２１、１２２、１２３を含む。データアイコン１２１〜１２３は、例えば、データフォルダに格納された各種データ、或いはインターネット上の不図示のサーバに記憶された各種データに対応する。そして、端末プログラム６５は、データ選択画面に対する入力操作を入力Ｉ／Ｆ５４を通じて受け付ける（Ｓ２４）。
【００５６】
次に、端末プログラム６５は、例えばデータアイコン１２１の指定を入力Ｉ／Ｆ５４を通じて受け付けたことに応じて（Ｓ２４：Ｙｅｓ）、データアイコン１２１に対応するデータ“写真．ＪＰＥＧ”をＦＡＸデータに決定する。すなわち、端末プログラム６５は、ＦＡＸデータのデータＩＤ“写真．ＪＰＥＧ”をデータ記憶領域６２Ｂに一時記憶させる。ＦＡＸデータは、複合機１０によるＦＡＸ送信動作の対象となる画像データを指す。データアイコン１２１〜１２３の１つの指定は、ＦＡＸデータを指定する入力操作の一例である。
【００５７】
次に、端末プログラム６５は、Ｗｉ−Ｆｉ通信Ｉ／Ｆ５６を通じて複合機１０に問合せ情報を送信する（Ｓ２５）。問合せ情報は、ＦＡＸ送信動作に用いる送信元情報を切替可能か否かを問い合わせるための情報である。換言すれば、問合せ情報は、ＦＡＸ部１３が切替可能状態及び切替不能状態のどちらかを問い合わせるための情報である。ステップＳ２５の処理は、第２送信処理の一例である。
【００５８】
一方、複合機１０の装置プログラム３５は、図６に示されるように、Ｗｉ−Ｆｉ通信Ｉ／Ｆ２６を通じて携帯端末５０から問合せ情報を受信する（Ｓ５１：問合せ情報）。次に、装置プログラム３５は、データ記憶領域３２Ｂに記憶された切替フラグの設定値に基づいて、ＦＡＸ部１３が切替可能状態及び切替不能状態のどちらであるかを判断する（Ｓ５２）。そして、装置プログラム３５は、ＦＡＸ部１３が切替可能状態と判断したことに応じて（Ｓ５２：Ｙｅｓ）、Ｗｉ−Ｆｉ通信Ｉ／Ｆ２６を通じて携帯端末５０に切替可能情報を送信する（Ｓ５３）。
【００５９】
切替可能情報は、ＦＡＸ部１３が切替可能状態であることを示すための情報、換言すれば、切替フラグに“ＯＮ”が設定されていることを示すための情報である。一方、装置プログラム３５は、ＦＡＸ部１３が切替不能状態と判断したことに応じて（Ｓ５２：Ｎｏ）、Ｗｉ−Ｆｉ通信Ｉ／Ｆ２６を通じて携帯端末５０に切替不能情報を送信する（Ｓ５４）。切替不能情報は、ＦＡＸ部１３が切替不能状態であることを示すための情報、換言すれば、切替フラグに“ＯＦＦ”が設定されていることを示すための情報である。
【００６０】
次に、携帯端末５０の端末プログラム６５は、図４に示されるように、切替可能情報或いは切替不能情報を問合せ情報の応答として、Ｗｉ−Ｆｉ通信Ｉ／Ｆ２６を通じて複合機１０から受信する（Ｓ２６）。なお、送信元情報を切り替える機能が実装されていないＦＡＸ装置、換言すれば、第１送信元情報を使用したＦＡＸ送信動作のみを実行可能なＦＡＸ装置に問合せ情報を送信した場合、端末プログラム６５は、問合せ情報を送信してから所定の時間が経過しても応答を受信することができない。この場合の処理は、切替不能情報を受信した場合に準ずるものとする。
【００６１】
次に、端末プログラム６５は、ステップＳ２６で切替可能情報を受信したことに応じて（Ｓ２６：Ｙｅｓ）、図９（Ａ）に示されるプレビュー画面をディスプレイ５３に表示させる（Ｓ２７）。一方、端末プログラム６５は、ステップＳ２６で切替不能情報を受信したことに応じて（Ｓ２６：Ｎｏ）、図９（Ｂ）に示されるプレビュー画面をディスプレイ５３に表示させる（Ｓ２８）。そして、端末プログラム６５は、プレビュー画面に対する入力操作を、入力Ｉ／Ｆ５４を通じて受け付ける（Ｓ２９）。ステップＳ２６の処理は第２受信処理の一例であり、ステップＳ２９の処理は受付処理の一例である。
【００６２】
図９（Ａ）は、切替可能情報を受信したことに対応するプレビュー画面の一例である。図９（Ａ）に示されるプレビュー画面は、プレビュー画像１３１と、チェックボックス１３２と、［ＦＡＸ］アイコン１３３とを含む。プレビュー画像１３１は、ＦＡＸデータ“写真．ＪＰＥＧ”をＦＡＸ受信動作で受信したＦＡＸ装置によって出力される画像を、プレビューするための画像である。チェックボックス１３２は、複合機１０から第１送信元情報を取得する指示に対応する。［ＦＡＸ］アイコン１３３は、複合機１０にＦＡＸ送信動作を実行させる指示に対応する。
【００６３】
一方、図９（Ｂ）は、切替不能情報を受信したことに対応するプレビュー画面の一例である。図９（Ｂ）に示されるプレビュー画面は、チェックボックス１３２がチェック不能な点において図９（Ａ）と相違し、その他の点において図９（Ａ）と共通する。すなわち、端末プログラム６５は、複合機１０から切替可能情報を受信したことに応じて（Ｓ２６：Ｙｅｓ）、チェック可能なチェックボックス１３２を含むプレビュー画面をディスプレイ５３に表示させる（Ｓ２７）。一方、端末プログラム６５は、複合機１０から切替不能情報を受信したことに応じて（Ｓ２６：Ｎｏ）、チェック不可能なチェックボックス１３２を含むプレビュー画面をディスプレイ５３に表示させる（Ｓ２８）。
【００６４】
次に、端末プログラム６５は、［ＦＡＸ］アイコン１３３の指定を入力Ｉ／Ｆ５４を通じて受け付けたことに応じて（Ｓ２９：Ｙｅｓ）、ＦＡＸ指示送信処理を実行する（Ｓ３０）。ＦＡＸ指示送信処理は、ＦＡＸ送信動作に用いる送信元情報を決定すると共に、ＦＡＸ指示情報を複合機１０に送信する処理である。図５を参照して、ＦＡＸ指示送信処理の詳細を説明する。
【００６５】
まず、端末プログラム６５は、チェックボックス１３２がチェックされた状態で［ＦＡＸ］アイコン１３３が指定されたか否かを判断する（Ｓ４１）。チェックボックス１３２をチェックしてから［ＦＡＸ］アイコン１３３を指定する入力操作は、第１送信元情報を用いたＦＡＸ送信動作の実行指示に対応する第１指示操作の一例である。チェックボックス１３２をチェックせずに［ＦＡＸ］アイコン１３３を指定する入力操作は、第１送信元情報を用いないＦＡＸ送信動作の実行指示に対応する第２指示操作の一例である。
【００６６】
そして、端末プログラム６５は、第１指示操作を受け付けたと判断したことに応じて（Ｓ４１：あり）、ＮＦＣ通信Ｉ／Ｆ５５を通じて複合機１０から装置ＩＤ“ＭＦＰ−Ａ”及び接続情報を受信する（Ｓ４２）。接続情報は、複合機１０とＷｉ−Ｆｉダイレクト接続するために必要な情報である。接続情報は、例えば、ＩＰ（Ｉｎｔｅｒｎｅｔ  Ｐｒｏｔｏｃｏｌの略）アドレス、ＭＡＣアドレス、或いはＳＳＩＤ（Ｓｅｒｖｉｃｅ  Ｓｅｔ  ＩＤｅｎｔｉｆｉｅｒの略）等であってもよい。なお、ＮＦＣ通信の通信リンクを確立する手順等は、ステップＳ１４、Ｓ１５と同様であってもよい。ステップＳ４２の処理は、接続情報受信処理の一例である。
【００６７】
次に、端末プログラム６５は、ステップＳ４２で受信した接続情報を用いて、Ｗｉ−Ｆｉ通信Ｉ／Ｆ５６と、複合機１０のＷｉ−Ｆｉ通信Ｉ／Ｆ２６とをＷｉ−Ｆｉダイレクト接続する。また、端末プログラム６５は、ステップＳ４２で受信した装置ＩＤ“ＭＦＰ−Ａ”に対応付けられた認証キー“１２３４”を装置情報リストから読み出す。そして、端末プログラム６５は、Ｗｉ−Ｆｉダイレクト接続されたＷｉ−Ｆｉ通信Ｉ／Ｆ５６を通じて複合機１０に、端末ＩＤ“Ｔｅｒｍ−Ａ”及び読み出した認証キー“１２３４”を送信する（Ｓ４３）。ステップＳ４３の処理は、第１送信処理の一例である。
【００６８】
一方、複合機１０の装置プログラム３５は、図６に示されるように、Ｗｉ−Ｆｉダイレクト接続されたＷｉ−Ｆｉ通信Ｉ／Ｆ２６を通じて携帯端末５０から端末ＩＤ“Ｔｅｒｍ−Ａ”及び認証キー“１２３４”を受信する（Ｓ５１：認証キー）。次に、装置プログラム３５は、ステップＳ５１で受信した端末ＩＤ及び認証キーを含む端末情報レコードが端末情報リストに含まれるか否かを判断する（Ｓ５５）。端末情報リストに含まれる認証キーは登録認証情報の一例であり、ステップＳ５１で受信した認証キーは受信認証情報の一例である。すなわち、装置プログラム３５は、登録認証情報と受信認証情報とが一致するか否かを判断する。ステップＳ５５の処理は、判断処理の一例である。
【００６９】
そして、装置プログラム３５は、登録認証情報と受信認証情報とが一致すると判断したことに応じて（Ｓ５５：Ｙｅｓ）、データ記憶領域３２Ｂに記憶された第１送信元情報“ｘｘ株式会社  総務部”を、Ｗｉ−Ｆｉダイレクト接続されたＷｉ−Ｆｉ通信Ｉ／Ｆ２６を通じて携帯端末５０に送信する（Ｓ５６）。ステップＳ５６の処理は、送信処理の一例である。一方、装置プログラム３５は、登録認証情報と受信認証情報とが不一致と判断したことに応じて（Ｓ５５：Ｎｏ）、Ｗｉ−Ｆｉダイレクト接続されたＷｉ−Ｆｉ通信Ｉ／Ｆ２６を通じて携帯端末５０に認証ＮＧ情報を送信する（Ｓ５７）。認証ＮＧ情報は、第１送信元情報を用いたＦＡＸ動作の実行を指示する権限がないことを通知するための情報である。
【００７０】
次に、携帯端末５０の端末プログラム６５は、図５に示されるように、Ｗｉ−Ｆｉダイレクト接続されたＷｉ−Ｆｉ通信Ｉ／Ｆ５６を通じて複合機１０から第１送信元情報或いは認証ＮＧ情報を受信する（Ｓ４４）。ステップＳ４４の処理は、第１受信処理の一例である。端末プログラム６５は、第１送信元情報を受信したことに応じて（Ｓ４４：Ｙｅｓ）、Ｗｉ−Ｆｉダイレクト接続されたＷｉ−Ｆｉ通信Ｉ／Ｆ５６を通じて複合機１０に第１ＦＡＸ指示情報を送信する（Ｓ４５）。一方、端末プログラム６５は、認証ＮＧ情報を受信したことに応じて（Ｓ４４：Ｎｏ）、Ｗｉ−Ｆｉダイレクト接続されたＷｉ−Ｆｉ通信Ｉ／Ｆ５６を通じて複合機１０に第２ＦＡＸ指示情報を送信する（Ｓ４６）。ステップＳ４５の処理は第１ＦＡＸ指示処理の一例であり、ステップＳ４６の処理は第２ＦＡＸ指示処理の一例である。
【００７１】
第１ＦＡＸ指示情報は、第１送信元情報を用いたＦＡＸ送信動作の実行を指示するための情報である。第１ＦＡＸ指示情報は、ステップＳ２４で決定したＦＡＸデータ“写真．ＪＰＥＧ”と、ステップＳ４４で受信した第１送信元情報“ｘｘ株式会社  総務部”とを含む。ステップＳ４６で送信される第２ＦＡＸ指示情報は、第１送信元情報及び第２送信元情報の両方を用いないＦＡＸ送信動作の実行を指示するための情報である。ステップＳ４６で送信される第２ＦＡＸ指示情報は、ステップＳ２４で決定したＦＡＸデータ“写真．ＪＰＥＧ”を含み、且つ送信元情報を含まない。
【００７２】
また図示は省略するが、端末プログラム６５は、ＦＡＸ送信先の外部装置を識別するための送信先情報（例えば、ＦＡＸ番号）を指定する入力操作を入力Ｉ／Ｆ５４を通じて受け付け、当該送信先情報を第１ＦＡＸ指示情報或いは第２ＦＡＸ指示情報に含める。さらに、端末プログラム６５は、第１ＦＡＸ指示情報或いは第２ＦＡＸ指示情報に、端末ＩＤ“Ｔｅｒｍ−Ａ”を含めてもよい。後述のＦＡＸ指示情報についても同様である。
【００７３】
さらに、端末プログラム６５は、第２指示操作を受け付けたと判断したことに応じて（Ｓ４１：なし）、第２送信元情報を示す画像をＦＡＸデータに合成する（Ｓ４７）。より詳細には、端末プログラム６５は、第２送信元情報“ｘｘ株式会社  営業部”を示す画像を含むＦＡＸヘッダを、ＦＡＸデータ“写真．ＪＰＥＧ”で示される画像の上端に合成する。ステップＳ４７の処理は、生成処理或いは第２生成処理の一例である。また、ステップＳ４７で生成されたＦＡＸデータは、第２合成画像データの一例である。そして、端末プログラム６５は、Ｗｉ−Ｆｉダイレクト接続されたＷｉ−Ｆｉ通信Ｉ／Ｆ５６を通じて複合機１０に第２ＦＡＸ指示情報を送信する（Ｓ４８）。ステップＳ４８の処理は、第２ＦＡＸ指示処理の一例である。
【００７４】
ステップＳ４８で送信される第２ＦＡＸ指示情報は、第２送信元情報を用いたＦＡＸ送信動作の実行を指示するための情報である。ステップＳ４８で送信される第２ＦＡＸ指示情報は、ステップＳ４７で生成したＦＡＸデータ“写真．ＪＰＥＧ”と、データ記憶領域６２Ｂに記憶された第２送信元情報“ｘｘ株式会社  営業部”とを含む。すなわち、ステップＳ４６、Ｓ４８で送信される第２ＦＡＸ指示情報は、第１送信元情報を用いないＦＡＸ送信動作の実行を指示する点において共通する。一方、ステップＳ４６、Ｓ４８で送信される第２ＦＡＸ指示情報は、第２送信元情報を含むか否かにおいて相違する。
【００７５】
さらに図４に戻って、端末プログラム６５は、取得元選択画面の［スキャン］アイコン１１２の指定を入力Ｉ／Ｆ５４を通じて受け付けたことに応じて（Ｓ２２：［スキャン］アイコン）、Ｗｉ−Ｆｉ通信Ｉ／Ｆ５６を通じて複合機１０に第１ＦＡＸ指示情報を送信する（Ｓ３１）。［スキャン］アイコン１１２を指定する操作は、第１指示操作の一例である。ステップＳ３１で送信される第１ＦＡＸ指示情報は、スキャンフラグ＝“ＯＮ”を含み、且つＦＡＸデータ及び送信元情報を含まない。ステップＳ３１の処理は、第１ＦＡＸ指示処理の一例である。なお、ステップＳ３１の処理は、［ローカル］アイコン１１１が指定された場合に実行されてもよい。同様に、ステップＳ２３〜Ｓ３０の処理は、［スキャン］アイコン１１２が指定された場合に実行されてもよい。
【００７６】
スキャンフラグ＝“ＯＮ”は、ＦＡＸ送信動作の対象となる画像データを、読取動作によってスキャナ１２に生成させる指示に対応する。すなわち、ステップＳ４５、Ｓ４６、Ｓ４８で送信されるＦＡＸ指示情報は、スキャンフラグ＝“ＯＦＦ”を含む、或いはスキャンフラグを含まない。また、ステップＳ３１、Ｓ４５で送信される第１ＦＡＸ指示情報は、第１送信元情報を用いたＦＡＸ送信動作の実行を指示する点において共通する。一方、ステップＳ３１、Ｓ４５で送信される第１ＦＡＸ指示情報は、スキャンフラグ＝“ＯＮ”、ＦＡＸデータ、及び第１送信元情報の有無において相違する。
【００７７】
また、複合機１０の装置プログラム３５は、図７に示されるように、入力Ｉ／Ｆ２４を通じて指示操作を受け付けることができる（Ｓ６１：入力Ｉ／Ｆ）。指示操作は、スキャナ１２に読取動作を実行させ、当該読取動作で生成されたＦＡＸデータに対して、第１送信元情報を用いたＦＡＸ送信動作をＦＡＸ部１３に実行させる指示に対応する。ステップＳ６１で指示操作を受け付ける処理は、受付処理の一例である。また、装置プログラム３５は、受付処理において、ＦＡＸ送信先の外部装置を識別するための送信先情報（例えば、ＦＡＸ番号）を指定する入力操作を入力Ｉ／Ｆ２４を通じてさらに受け付ける。
【００７８】
次に、装置プログラム３５は、スキャナ１２に読取動作を実行させる（Ｓ６２）。スキャナ１２は、不図示のコンタクトガラス或いはＡＤＦ（Ａｕｔｏ  Ｄｏｃｕｍｅｎｔ  Ｆｅｅｄｅｒの略）にセットされた原稿に記録された画像を読み取って、当該画像を示すＦＡＸデータを生成する。次に、装置プログラム３５は、ステップＳ６２で生成したＦＡＸデータに、第１送信元情報を示す画像を合成する（Ｓ６３）。より詳細には、装置プログラム３５は、第１送信元情報“ｘｘ株式会社  総務部”を示す画像を含むＦＡＸヘッダを、ステップＳ６２で生成したＦＡＸデータで示される画像の上端に合成する。ステップＳ６３で生成されたＦＡＸデータは、第１合成画像データの一例である。
【００７９】
次に、装置プログラム３５は、ステップＳ６３で生成したＦＡＸデータと、データ記憶領域３２Ｂに記憶された第１送信元情報とを用いて、ＦＡＸ部１３にＦＡＸ送信動作を実行させる（Ｓ６４）。より詳細には、ＦＡＸ部１３は、ＦＡＸプロトコルに従って、送信先情報で識別される外部装置と接続し、第１送信元情報を引数とする制御コマンドを外部装置に送信し、ＦＡＸデータを外部装置に送信し、外部装置との接続を切断する。ステップＳ６４の処理は、ＦＡＸ処理或いは第１ＦＡＸ処理の一例である。
【００８０】
また、装置プログラム３５は、Ｗｉ−Ｆｉダイレクト接続されたＷｉ−Ｆｉ通信Ｉ／Ｆ２６を通じて、第１ＦＡＸ指示情報或いは第２ＦＡＸ指示情報を携帯端末５０から受信することができる（Ｓ６１：通信Ｉ／Ｆ）。ステップＳ６１でＦＡＸ指示情報を受信する処理は、受信処理或いは第２受信処理の一例である。次に、装置プログラム３５は、受信したＦＡＸ指示情報に、スキャンフラグ＝“ＯＮ”が含まれるか否か（Ｓ６５）、第１送信元情報が含まれるか否か（Ｓ６６）、第２送信元情報が含まれるか否か（Ｓ６７）を、それぞれ判断する。
【００８１】
そして、装置プログラム３５は、受信した第１ＦＡＸ指示情報にスキャンフラグ＝“ＯＮ”が含まれていると判断したことに応じて（Ｓ６５：Ｙｅｓ）、ステップＳ６２〜Ｓ６４の処理を実行する。これらの処理は、前述の処理と同様であってもよい。但し、装置プログラム３５は、ステップＳ６４において、第１ＦＡＸ指示情報に含まれる送信先情報を用いて、ＦＡＸ部１３にＦＡＸ送信動作を実行させる。
【００８２】
また、装置プログラム３５は、受信した第１ＦＡＸ指示情報に第１送信元情報が含まれると判断したことに応じて（Ｓ６６：Ｙｅｓ）、ステップＳ６３、Ｓ６４の処理を実行する。これらの処理は、前述の処理と同様であってもよい。但し、装置プログラム３５は、ステップＳ６３において、第１ＦＡＸ指示情報に含まれるＦＡＸデータに、第１ＦＡＸ指示情報に含まれる第１送信元情報を示す画像を合成する。また、装置プログラム３５は、ステップＳ６４において、第１ＦＡＸ指示情報に含まれる送信先情報を用いて、ＦＡＸ部１３にＦＡＸ送信動作を実行させる。
【００８３】
また、装置プログラム３５は、受信した第２ＦＡＸ指示情報に第２送信元情報が含まれると判断したことに応じて（Ｓ６７：Ｙｅｓ）、第２ＦＡＸ指示情報に含まれる送信先情報、第２送信元情報、及びＦＡＸデータを用いて、ＦＡＸ部１３にＦＡＸ送信動作を実行させる（Ｓ６８）。ステップＳ６８でＦＡＸ部１３が実行する動作は、ステップＳ６４と同様であってもよい。ステップＳ６８の処理は、第２ＦＡＸ処理の一例である。
【００８４】
さらに、装置プログラム３５は、受信した第２ＦＡＸ指示情報にスキャンフラグ＝“ＯＮ”、第１送信元情報、及び第２送信元情報のいずれもが含まれていないと判断したことに応じて（Ｓ６７：Ｎｏ）、第２ＦＡＸ指示情報に含まれる送信先情報及びＦＡＸデータを用いて、ＦＡＸ部１３にＦＡＸ送信動作を実行させる（Ｓ６９）。ステップＳ６９でＦＡＸ部１３が実行する動作は、ステップＳ６４と同様であってもよい。但し、ＦＡＸ部１３は、外部装置に送信する制御コマンドに送信元情報を含めない。ステップＳ６９の処理は、第２ＦＡＸ処理の一例である。
【００８５】
［実施形態の作用効果］
上記の実施形態によれば、認証キーの応答として第１送信元情報を取得した携帯端末５０のみが、換言すれば複合機１０によって認証された携帯端末５０のみが、第１送信元情報を用いたＦＡＸ送信動作の実行を複合機１０に指示することができる。その結果、例えば、第１送信元情報で示される送信元に所属していない携帯端末５０のユーザによって、第１送信元情報を用いたＦＡＸ送信動作が指示されるというデメリットを抑制できる。すなわち、当該プログラムによれば、適切な送信元情報を用いたＦＡＸ送信動作を指示することができる。
【００８６】
また、上記の実施形態によれば、ＦＡＸ送信動作に第１送信元情報を用いるか否かを、ユーザに選択させることができる。その結果、例えば、携帯端末５０のユーザが普段使用しているＦＡＸ装置とは別のＦＡＸ装置にＦＡＸ送信動作を実行させる場合に、当該ユーザの所属と異なる送信元を示す送信元情報が使用されるというデメリットを抑制できる。すなわち、当該プログラムによれば、適切な送信元情報を用いたＦＡＸ送信動作を指示することができる。
【００８７】
また、上記の実施形態によれば、ＮＦＣ通信によって複合機１０から携帯端末５０に認証キーが送信される。すなわち、携帯端末５０のユーザは、複合機１０から認証キーを取得するために、複合機１０の近くまで来なければならない。その結果、なりすまし等による認証キーの不正取得が抑制される。また、上記の実施形態によれば、ＮＦＣ通信によって取得した接続情報を用いて携帯端末５０が複合機１０にＷｉ−Ｆｉダイレクト接続され、Ｗｉ−Ｆｉダイレクト通信によってＦＡＸ指示情報が携帯端末５０から複合機１０に送信される。すなわち、複合機１０の近くまで来たユーザの携帯端末５０のみによって、複合機１０にＦＡＸ送信動作が指示可能になる。その結果、他人の携帯端末５０を利用した不正なＦＡＸ送信動作の指示が抑制される。
【００８８】
なお、ステップＳ１６、Ｓ２５、Ｓ２６、Ｓ３１、Ｓ４２〜Ｓ４６、Ｓ４８、Ｓ５１、Ｓ５３、Ｓ５４、Ｓ５６、Ｓ５７、Ｓ６１における複合機１０と携帯端末５０との間の通信方法は、前述の例に限定されない。例えば、全ての通信がＮＦＣ通信、Ｗｉ−Ｆｉ通信、或いはＷｉ−Ｆｉダイレクト通信のいずれか１つであってもよい。但し、高いセキュリティが求められるステップＳ１６はＮＦＣ通信が望ましく、サイズの大きい情報を送信するＳ３１、Ｓ４５、Ｓ４６、Ｓ４８はＷｉ−Ｆｉ通信或いはＷｉ−Ｆｉダイレクト通信が望ましい。
【００８９】
また、ステップＳ４６で送信される第２送信指示情報は、第１送信元情報及び第２送信元情報のどちらも用いないＦＡＸ送信動作の実行指示に限定されず、第２送信元情報を用いたＦＡＸ送信動作の実行指示であってもよい。同様に、ステップＳ４６で送信される第２送信指示情報は、第２送信元情報を用いたＦＡＸ送信動作の実行指示に限定されず、第１送信元情報及び第２送信元情報のどちらも用いないＦＡＸ送信動作の実行指示であってもよい。
【００９０】
また、上記の実施形態によれば、送信元情報を引数とする制御コマンドをＦＡＸ部１３に送信させるので、受信側のＦＡＸ装置において、当該送信元情報に基づいてＦＡＸデータを振り分けるなどの処理が可能になる。また、ＦＡＸデータのヘッダ部に送信元情報を示す画像を付加するので、受信側のＦＡＸ装置のユーザに、当該ＦＡＸデータの送信元を認識させることができる。但し、送信元情報を示す画像をＦＡＸデータに合成する処理は、複合機１０及び携帯端末５０のどちらで実行されてもよい。
【００９１】
なお、ＦＡＸ指示情報で指定された送信元情報は、制御コマンドの引数として送信する処理、及びＦＡＸデータのヘッダ部に含めて送信する処理の一方でのみ利用してもよい。すなわち、ＦＡＸ部１３は、ＦＡＸ指示情報で指定された送信元情報を、制御コマンドに含めず且つＦＡＸデータに含めてもよい。または、ＦＡＸ部１３は、ＦＡＸ指示情報で指定された送信元情報を、制御コマンドに含め且つＦＡＸデータに含めなくてもよい。
【００９２】
また、制御コマンドに含める送信元情報と、ＦＡＸデータに含める送信元情報とは、異なっていてもよい。すなわち、ＦＡＸ部１３は、制御コマンド及びＦＡＸデータの一方にＦＡＸ指示情報で指定された送信元情報を含め、制御コマンド及びＦＡＸデータの他方にデータ記憶領域３２Ｂに記憶された第１送信元情報を含めてもよい。さらに、データ記憶領域３２Ｂは、制御コマンドに含める送信元情報の切り替えが可能か否かを示す第１切替フラグと、ＦＡＸデータに含める送信元情報の切り替えが可能か否かを示す第２切替フラグとを記憶していてもよい。そして、装置プログラム３５は、第１切替フラグ及び第２切替フラグの設定値に基づいて、各処理に用いる送信元情報を選択してもよい。
【００９３】
一例として、複合機１０の装置プログラム３５は、ステップＳ４７に相当する処理を、ステップＳ６８の直前に実行してもよい。この場合の第２ＦＡＸ指示情報は、第２送信元情報を示す画像を画像データに含めて第２合成画像データを生成させ、且つ第２合成画像データに対するＦＡＸ送信動作を実行させるための情報である。他の例として、携帯端末５０の端末プログラム６５は、ステップＳ６３に相当する処理を、ステップＳ４５の直前に実行してもよい。この処理は、第１生成処理の一例である。この場合の第１ＦＡＸ指示情報は、第１送信元情報を示す画像を画像データに含めた第１合成画像データを含み、且つ第１合成画像データに対するＦＡＸ送信動作を実行させるための情報である。
【００９４】
また、切替フラグに相当する情報が携帯端末５０のデータ記憶領域６２Ｂに記憶されていてもよい。データ記憶領域６２Ｂに記憶される切替フラグには、例えば、ＦＡＸ指示情報に含める送信元情報をユーザに指定させることに対応する第１値“ＯＮ”、或いはＦＡＸ指示情報に第１送信元情報を含めることに対応する第２値“ＯＦＦ”が設定される。データ記憶領域６２Ｂに記憶される切替フラグの設定値は、例えば、入力Ｉ／Ｆ５４を通じてユーザによって設定される。
【００９５】
そして、端末プログラム６５は、切替フラグの設定値に基づいて、ＦＡＸ指示送信処理を実行してもよい。例えば、端末プログラム６５は、切替フラグに“ＯＮ”が設定されていることに応じて、ステップＳ４１以降の処理を実行すればよい。一方、端末プログラム６５は、切替フラグに“ＯＦＦ”が設定されていることに応じて、ステップＳ４１〜Ｓ４４の処理を実行することなく、ステップＳ４５の処理を実行すればよい。
【００９６】
なお、上記の実施形態において、端末プログラム６５は、ステップＳ４４で受信した第１送信元情報をデータ記憶領域６２Ｂに記憶させる。そして、端末プログラム６５は、ステップＳ４５を実行したことに応じて、第１送信元情報をデータ記憶領域６２Ｂから削除してもよい。これにより、ステップＳ４５の処理を実行には複合機１０による認証を毎回受けなければならないので、なりすまし等のデメリットがさらに抑制される。一方、端末プログラム６５は、２回目以降のステップＳ４５において、データ記憶領域６２Ｂに記憶された第１送信元情報を用いてもよい。すなわち、端末プログラム６５は、２解明光のＦＡＸ指示送信処理において、ステップＳ４３、Ｓ４４の処理を省略してもよい。
【００９７】
また、上記の実施形態において、端末プログラム６５は、ＮＦＣ通信Ｉ／Ｆ５５を通じて受信した装置ＩＤで識別される複合機１０にＦＡＸ送信動作を実行させる。すなわち、携帯端末５０のユーザは、複数のＦＡＸ装置のうちの１つに携帯端末５０をかざすことによって、当該ＦＡＸ装置にＦＡＸ送信動作を実行させることができる。但し、ＦＡＸ送信動作を実行させるＦＡＸ装置の指定方法は、上記の例に限定されない。例えば、端末プログラム６５は、Ｗｉ−Ｆｉ通信部５６を通じて通信可能な複数のＦＡＸ装置のうちの１つを、入力Ｉ／Ｆ５４を通じてユーザに指定させてもよい。
【００９８】
また、上記の実施形態において、端末プログラム６５は、ＮＦＣ通信Ｉ／Ｆ５５を通じて複合機１０から受信した装置ＩＤに対応する認証キーを、当該装置ＩＤで識別される複合機１０に送信する。但し、送信する認証キーの取得方法は、上記の例に限定されない。例えば、端末プログラム６５は、認証キーを入力する入力操作を、入力Ｉ／Ｆ５４を通じて受け付けてもよい。この場合の複合機１０の装置プログラム３５は、例えばステップＳ１６において、認証キーをディスプレイ２３に表示させてもよいし、認証キーを含む画像をシートに記録させる記録動作をプリンタ１１に実行させてもよい。
【００９９】
また、上記の実施形態の複合機１０及び携帯端末５０において、メモリ３２、６２のプログラム記憶領域３２Ａ、６２Ａに記憶された各種プログラムがＣＰＵ３１、６１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１００】
さらに、本発明は、複合機１０及び携帯端末５０として実現できるだけでなく、複合機１０及び携帯端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワーク１０１を通じて複合機１０及び携帯端末５０に接続可能なサーバに搭載された記憶部を含んでもよい。そして、サーバの記憶部に記憶されたプログラムは、当該プログラムを示す情報或いは信号として、インターネット等の通信ネットワーク１０１を通じて配信されてもよい。
【符号の説明】
【０１０１】
１０・・・複合機
１１・・・プリンタ
１２・・・スキャナ
２３，５３・・・ディスプレイ
２４，５４・・・入力Ｉ／Ｆ
２５，５５・・・ＮＦＣ通信Ｉ／Ｆ
２６，５６・・・Ｗｉ−Ｆｉ通信Ｉ／Ｆ
３１，６１・・・ＣＰＵ
３２，６２・・・メモリ
３５・・・装置プログラム
６５・・・端末プログラム
５０・・・携帯端末
【図１】
2017118228.tif 000003
【図２】
2017118228.tif 000004
【図３】
2017118228.tif 000005
【図４】
2017118228.tif 000006
【図５】
2017118228.tif 000007
【図６】
2017118228.tif 000008
【図７】
2017118228.tif 000009
【図８】
2017118228.tif 000010
【図９】
2017118228.tif 000011